(57)【要約】【課題】  従来の再生装置におけるエラー報知は状況にかかわりなく一律であり、状況ごとにそのときの状況に最適なエラー報知を行うことができなかった。【解決手段】  再生装置にエラーが発生したときに当該エラーに応じたエラー報知を行うエラー報知装置及び方法において、状況に応じて動作モードを変化させ、動作モードごとに当該動作モードに応じたエラー報知を行うようにしたことにより、そのときの状況に最適なエラー報知を行うことができ、かくして再生装置の商品力を向上させ得るエラー報知装置及び方法を実現できる。【選択図】        図５
2005149549.tif 000002
【特許請求の範囲】
【請求項１】
再生装置に設けられ、エラーが発生したときに当該エラーに応じたエラー報知を行うエラー報知装置において、
状況に応じて動作モードを変化させ、上記動作モードごとに当該動作モードに応じた上記エラー報知を行うエラー報知手段
を具えることを特徴とするエラー報知装置。
【請求項２】
上記動作モードをユーザ操作により設定できる
ことを特徴とする請求項１に記載のエラー報知装置。
【請求項３】
上記状況を検出する状況検出手段を具え、
上記報知手段は、
上記状況検出手段の検出結果に応じた上記エラー報知を行う
ことを特徴とする請求項１に記載のエラー報知装置。
【請求項４】
再生装置に関し、エラーが発生したときに当該エラーに応じたエラー報知を行うエラー報知方法において、
状況に応じて動作モードを変化させる第１のステップと、
上記動作モードごとに当該動作モードに応じた上記エラー報知を行う第２のステップと
を具えることを特徴とするエラー報知方法。
【請求項５】
上記第１のステップでは、
上記動作モードをユーザ操作により設定できる
ことを特徴とする請求項４に記載のエラー報知方法。
【請求項６】
上記第１のステップでは、
所定の状況検出手段により上記状況を検出し、
上記第２のステップでは、
上記状況検出手段の検出結果に応じた上記エラー報知を行う
ことを特徴とする請求項４に記載のエラー報知方法。
【発明の詳細な説明】
【技術分野】
【０００１】
本発明は、エラー報知装置及び方法に関し、例えば車載用のオーディオシステムに適用して好適なものである。
【背景技術】
【０００２】
従来、さまざまなメディアの再生装置においては、何らかの不具合（エラー）が発生した場合にユーザに対してその事実や内容を文字や、光又は音などで通報し、その後動作を停止するエラー報知機能が搭載されている。なお、以下においては、エラーが発生した場合におけるユーザへの通報の他、当該エラーに対するその後の一連の処理をも含めて『エラー報知』と呼ぶものとする。
【０００３】
また近年では、オートチェンジャ機能付きの再生装置も数多く登場しており、このような再生装置におけるエラー報知方法として、連続再生モードが選択されている場合にエラーが発生したときに、その旨をユーザに通報すると共に当該メディアに対する再生動作を中止し、次のメディアの再生動作を開始するといったエラー報知方法も提案されている（例えば、特許文献１参照）。
【特許文献１】特開平６−１８０９３４号公報
【発明の開示】
【発明が解決しようとする課題】
【０００４】
ところで再生装置においては、再生動作を開始した後は、ユーザが再度操作してその再生動作を停止させ又は対応するメディアの全てを再生し終えるまで再生動作を継続し続け、その途中においてエラーが発生したときに上述のようなエラー報知処理を実行する。
【０００５】
しかしながら、通常、ユーザは、再生装置に再生動作を開始させるための操作を行った後は、当該メディアの全てを再生し終えるまで再生動作が継続されるであろうことを前提として、その再生装置に注意を払わない場合が多い。
【０００６】
このため例え再生装置がエラー報知を行ったとしてもユーザに気付かれない場合があり、また再生装置を例えば店舗のＢＧＭ再生用として用いている場合などのように、自動再生が可能であるならば、そのまま再生を継続することが望まれる場合もあり得る。
【０００７】
さらに例えば車載用の再生装置などでは、例えエラーが発生したとしてもユーザである運転者に過剰に通報を行い、操作を促すことは安全性を損なうおそれもある。
【０００８】
従って、再生装置において、そのときの状況に最適な方法でエラー報知を行い得るようにすることができれば、機能性や安全性を向上させることができ、ひいては商品力を向上させ得るものと考えられる。
【０００９】
本発明は以上の点を考慮してなされたもので、再生装置の商品力を向上させ得るエラー報知装置及び方法を提案しようとするものである。
【課題を解決するための手段】
【００１０】
かかる課題を解決するため本発明においては、再生装置に設けられたエラー報知装置において、状況に応じて動作モードを変化させ、動作モードごとに当該動作モードに応じたエラー報知を行うエラー報知手段を設けるようにした。
【００１１】
この結果このエラー報知装置は、そのときの状況に最適なエラー報知を行うことができる。
【００１２】
また本発明においては、搭載された再生装置にエラーが発生したときに当該エラーに応じたエラー報知を行うエラー報知方法において、状況に応じて動作モードを変化させる第１のステップと、動作モードごとに当該動作モードに応じたエラー報知を行う第２のステップとを設けるようにした。
【００１３】
この結果この報知方法によれば、そのときの状況に最適なエラー報知を行うことができる。
【発明の効果】
【００１４】
以上のように本発明によれば、再生装置にエラーが発生したときに当該エラーに応じたエラー報知を行うエラー報知装置において、状況に応じて動作モードを変化させ、動作モードごとに当該動作モードに応じたエラー報知を行うエラー報知手段を設けるようにしたことにより、そのときの状況に最適なエラー報知を行うことができ、かくして再生装置の商品力を向上させ得るエラー報知装置を実現できる。
【００１５】
また本発明によれば、再生装置にエラーが発生したときに当該エラーに応じたエラー報知を行うエラー報知方法において、状況に応じて動作モードを変化させる第１のステップと、動作モードごとに当該動作モードに応じたエラー報知を行う第２のステップとを設けるようにしたことにより、そのときの状況に最適なエラー報知を行うことができ、かくして再生装置の商品力を向上させ得るエラー報知方法を実現できる。
【発明を実施するための最良の形態】
【００１６】
以下、図面について本発明の一実施の形態を詳述する。
【００１７】
（１）第１の実施の形態
（１−１）第１の実施の形態によるオーディオシステムの全体構成
図１において、１は全体として第１の実施の形態による車載用のオーディオシステムを示し、オートチェンジャ機能を有するＣＤ（Compact Disc）プレーヤ部２と、自動車のフロントパネルに設置される本体部３と、自動車のドアの内側等に設置されるスピーカ４とから構成されている。
【００１８】
本体部２においては、各種ボタンが配設された操作部５と、例えば液晶パネルからなる表示部６とが前面部に設けられており、ユーザが操作部５を操作したときにこれに応じた操作通知信号Ｓ１が当該操作部５からシステム制御部７に与えられる。
【００１９】
システム制御部７は、ＣＰＵ（Central Processing Unit）、ＲＯＭ（Read Only Memory）及びＲＡＭ（Random Access Memory）を有するマイクロコンピュータ構成でなり、操作部５から与えられる操作通知信号Ｓ１に応じた制御コマンドＣＯＭ１をＣＤプレーヤ部２又はボリュームコントロール部３に送出する。
【００２０】
ＣＤプレーヤ部２は、システム制御部７から与えられる制御コマンドＣＯＭに基づいて、再生動作、停止動作、ディスクアップ動作（次のＣＤの再生）又はイジェクト動作などの対応する動作を実行する。
【００２１】
そしてＣＤプレーヤ部２は、ＣＤの再生動作を行った場合には、このとき得られた音声データＤ１を本体部３のディジタル／アナログ変換部８に送出する。またアナログ／ディジタル変換部８は、供給される音声データＤ１をアナログ変換し、かくして得られたアナログ波形の音声信号Ｓ２をボリュームコントロール部９に送出する。
【００２２】
さらにボリュームコントロール部９は、供給される音声信号Ｓ２に対してシステム制御部７から与えられる制御コマンドＣＯＭ２に応じた増幅率で増幅し、得られたボリュームコントロール音声信号Ｓ３を増幅器１０を介してスピーカ４に送出する。この結果、このボリュームコントロール音声信号Ｓ３に基づく音声がこのスピーカ４から出力される。
【００２３】
一方、ＣＤプレーヤ部２は、システム制御部７から制御コマンドＣＯＭ１に基づいて再生動作を開始した場合や、制御コマンドＣＯＭ１に基づいて行った停止動作若しくはイジェクト動作を完了した場合、又は各種エラー（エラー）が発生した場合などにこれを状態通知信号Ｓ４としてシステム制御部７に通知する。かくしてシステム制御部７は、このＣＤプレーヤ部２から与えられる状態通知信号Ｓ４に基づいて、このときのＣＤプレーヤ部２の状態を表示部６に表示させる。
【００２４】
またＣＤプレーヤ部２は、再生動作時にはそのとき再生しているＣＤの番号やトラック番号、再生時間等の再生状態に関する各種情報を状態通知信号Ｓ４としてシステム制御部７に通知する。かくしてシステム制御部７は、この状態通知信号Ｓ４に基づいて、そのときＣＤプレーヤ部２が再生しているＣＤの番号や、トラック番号及び時間等を表示部６に表示させる。
【００２５】
このようにしてこのオーディオシステム１では、ＣＤプレーヤ部２において再生された音声を、ユーザの設定した音響レベルでスピーカ４から放音しながら、必要な情報を表示部６に表示することができるようになされている。
【００２６】
（１−２）オーディオシステム１におけるエラー報知処理
次に、このオーディオシステム１におけるエラー報知処理の内容について説明する。
【００２７】
このオーディオシステム１では、そのときの状況に最適なエラー報知を行い得るようにするための手段として、図２に示すように、システム制御部７の動作モードとして再生モード、ユーザ動作モード及び停止モードの３つの動作モードが設けられている。
【００２８】
この場合、ユーザ動作モードは、操作部５の再生ボタン、停止ボタン、ディスクアップボタン又はイジェクトボタン等が操作されるなどの所定のユーザ操作が入力されたときにシステム制御部７が遷移する動作モードであり、その動作が開始又は終了するまでの間このユーザ動作モードが維持され、その後その動作が開始又は終了すると通常の再生モード又は停止モードに遷移する。
【００２９】
具体的には、システム制御部７は、図３に示すように、例えば現在の動作モードが『停止モード（現在のモードの欄）』である場合において、例えば操作部５の『再生ボタンが操作された（動作の欄）』ことを操作通知信号Ｓ１に基づいて認識すると、動作モードをユーザ動作モードに遷移した後、ＣＤプレーヤ部２に対して『再生可能状態にあるＣＤを再生（動作詳細の欄）』すべき旨の制御コマンドＣＯＭ１を送出する一方、この後ＣＤプレーヤ部２から『再生を開始した（完了判定の欄）』旨の状態通知信号Ｓ４を受け取るまでの間、動作モードとしてユーザ動作モードを維持し、この後かかる状態通知信号Ｓ４を受け取ると、動作モードを『再生モード（完了後のモードの欄）』に遷移させる。
【００３０】
またシステム制御部７は、現在の動作モードが『再生モード（現在のモードの欄）』である場合において、例えば操作部５の『停止ボタンが操作（動作の欄）』されたことを操作通知信号Ｓ１に基づいて認識すると、動作モードをユーザ動作モードに遷移した後、ＣＤプレーヤ部２に対して『再生状態にあるＣＤを停止（動作詳細の欄）』すべき旨の制御コマンドＣＯＭ１を送出する一方、この後ＣＤプレーヤ部２から『停止を完了した（完了判定の欄）』旨の状態通知信号Ｓ４を受け取るまでの間、動作モードとしてユーザ動作モードを維持し、この後かかる状態通知信号Ｓ４を受け取ると、動作モードを『停止モード（完了後のモードの欄）』に遷移させる。
【００３１】
そしてこのオーディオシステム１では、発生したエラーに対するエラー報知方法として、図４に示すような第１及び第２のエラー報知方法を有しており、ユーザ動作モード中に発生したエラーについては第１のエラー報知方法によってこれを処理する一方、再生モード中に発生したエラーについては第２のエラー報知方法によってこれを処理するようになされている。
【００３２】
例えばＣＤプレーヤ部２に第１〜第３のＣＤが装填され、第１のＣＤの再生中にユーザが操作部５のディスクアップボタンを操作することによりシステム制御部７からＣＤプレーヤ部２に次の第２のＣＤを再生すべき制御コマンドＣＯＭ１が与えられた場合であって、このとき第２のＣＤがフォーマット違反であることによりその再生ができないときには、ＣＤプレーヤ部２からかかるエラー情報が状態通知信号Ｓ４としてシステム制御部７に与えられるが、このときシステム制御部７は、ユーザ動作モードに遷移しているため、エラー報知方法として第１のエラー報知方法を選択する。
【００３３】
そしてシステム制御部７は、この後「フォーマットエラー」というエラーメッセージを表示部６に表示させる一方、ＣＤプレーヤ部２に制御コマンドＣＯＭ１を送出することにより直ちに第２のＣＤの回転を停止させると共に第２のＣＤを排出位置に移動させた後、動作モードを停止モードに遷移させる。
【００３４】
これに対してＣＤプレーヤ部２に第１〜第３のＣＤが装填され、連続再生モード時においてシステム制御部７からＣＤプレーヤ部２に次の第２のＣＤを再生すべき制御コマンドＣＯＭ１が自動的に与えられた場合であって、このとき第２のＣＤがフォーマット違反であることによりその再生ができないときには、ＣＤプレーヤ部２からかかるエラー情報が状態通知信号Ｓ４としてシステム制御部７に与えられるが、このときシステム制御部７は、再生モードを選択しているため、エラー報知方法として第２のエラー報知方法を選択する。
【００３５】
そしてシステム制御部７は、この後「フォーマットエラー」というエラーメッセージを表示部６に表示させる一方、ＣＤプレーヤ部２に制御コマンドＣＯＭ１を送信することにより直ちに第２のＣＤの回転を停止させ、かつ次の第３のＣＤを再生可能状態にさせる。さらにシステム制御部７は、表示部６のエラーメッセージを消させることにより当該表示部６の表示を通常状態に戻し、さらにこの後ＣＤプレーヤ部２に制御コマンドＣＯＭ１を送出することにより第３のＣＤに対する再生を開始させる。
【００３６】
また、例えばＣＤプレーヤ部２に第１〜第３のＣＤが装填され、ユーザが操作部５のディスクアップボタンを操作することによりシステム制御部７からＣＤプレーヤ部２に再生可能状態にある第２のＣＤを再生すべき制御コマンドＣＯＭ１が与えられた場合であって、このとき第２のＣＤにフォーマット違反以外の何らかのエラーがあることによりその再生ができないときには、ＣＤプレーヤ部２からかかるエラー情報が状態通知信号Ｓ４としてシステム制御部７に与えられるが、このときシステム制御部７は、ユーザ動作モードに遷移しているため、エラー報知方法として第１のエラー報知方法を選択する。
【００３７】
そしてシステム制御部７は、この後「ディスクエラー」といったエラーメッセージを表示部６に表示させる一方、ＣＤプレーヤ部２に制御コマンドＣＯＭ１を送出することにより直ちに第２のＣＤに対する再生を中止させてその回転を停止させると共に、その第２のＣＤを排出位置に移動させた後、動作モードを停止モードに遷移させる。
【００３８】
これに対してＣＤプレーヤ部２に第１〜第３のＣＤが装填され、連続再生モード時においてシステム制御部７からＣＤプレーヤ部２に次の第２のＣＤを再生すべき制御コマンドＣＯＭ１が自動的に与えられた場合であって、このとき第２のＣＤにフォーマット違反以外の何らかのエラーがあることによりその再生ができないときには、ＣＤプレーヤ部２からかかるエラー情報が状態通知信号Ｓ４としてシステム制御部７に与えられるが、このときシステム制御部７は、再生モードを選択しているため、エラー報知方法として第２のエラー報知方法を選択する。
【００３９】
そしてシステム制御部７は、この後「ディスクエラー」といったエラーメッセージを表示部６に表示させる一方、ＣＤプレーヤ部２に制御コマンドＣＯＭ１を送信することにより直ちに第２のＣＤの回転を停止させ、かつ次の第３のＣＤを再生可能状態にさせる。続いてシステム制御部７は、表示部６のエラーメッセージを消させることにより当該表示部６の表示を通常状態に戻し、さらにこの後ＣＤプレーヤ部２に制御コマンドＣＯＭ１を送出することにより第３のＣＤに対する再生を開始させる。
【００４０】
このようにこのオーディオシステム１では、ユーザからの操作に応じて実行した動作時に発生したエラーと、ユーザからの操作にかかわりなく実行した動作時に発生したエラーとで異なる処理を行うようになされ、これによりそのときの状況に最適なエラー報知を行い得るようになされている。
【００４１】
（１−３）第１のエラー報知処理手順ＲＴ１
ここでシステム制御部７は、上述のようなエラー報知を図５に示す第１のエラー報知処理手順ＲＴ１に従って実行する。
【００４２】
すなわちシステム制御部７は、オーディオシステム１の電源が投入されると、この第１のエラー報知処理手順ＲＴ１をステップＳＰ０において開始し、続くステップＳＰ１において、操作部５から与えられる操作通知信号Ｓ１に基づいてユーザ操作入力があったか否かを判断する。
【００４３】
またシステム制御部７は、このステップＳＰ１において否定結果を得るとステップＳＰ２に進んで、ＣＤプレーヤ部２から送信される状態通知信号Ｓ４に基づいて、何らかのエラーが発生したか否かを判断する。
【００４４】
そしてシステム制御部７は、このステップＳＰ２において否定結果を得るとステップＳＰ１に戻り、この後ステップＳＰ１において肯定結果を得又はステップＳＰ２において否定結果を得るまでステップＳＰ１−ＳＰ２−ＳＰ１のループを繰り返す。
【００４５】
一方、システム制御部７は、やがてユーザが操作部５の再生ボタン等を操作することによりステップＳＰ１において肯定結果を得ると、ステップＳＰ３に進んで、動作モードをユーザ動作モードに遷移させ、この後ステップＳＰ４に進んでＣＤプレーヤ部２に対して再生動作の実行又は再生動作の停止等を実行すべき旨の制御コマンドＣＯＭ１を送出する。またシステム制御部７は、この後ステップＳＰ５に進んで、ＣＤプレーヤ部２から状態通知信号Ｓ４が送信されるのを待ち受ける。
【００４６】
そしてシステム制御部７は、やがてかかる状態通知信号Ｓ４を受信すると、ステップＳＰ６に進んでエラーが発生したか否かを判断し、否定結果を得るとステップＳＰ８に進んで動作モードを対応する再生モード又は停止モードに遷移させた後、ステップＳＰ１に戻る。
【００４７】
これに対してシステム制御部７は、ステップＳＰ６において肯定結果を得ると、ステップＳＰ７に進んでそのエラーに対するエラー報知方法として対応する第１のエラー報知方法を選択すると共に当該第１のエラー報知方法に応じた処理を実行し、この第１のエラー報知方法を終了すると、ステップＳＰ８に進んで動作モードを対応する再生モード又は停止モードに遷移させた後、ステップＳＰ１に戻る。
【００４８】
他方、システム制御部７は、再生モード時又は停止モード時においてＣＤプレーヤ部２から何らかのエラーを知らせる状態通知信号Ｓ４が与えられることによりステップＳＰ２において肯定結果を得ると、ステップＳＰ９に進んで、そのエラーに対するエラー報知方法として対応する第２のエラー報知方法を選択すると共に当該第２のエラー報知方法に応じた処理を実行し、この第２のエラー報知方法を終了すると、ステップＳＰ１に戻ってこの後上述と同様の処理を実行する。
【００４９】
このようにしてシステム制御部７は、そのときの状況に応じて第１又は第２のエラー報知方法を切り換えて実行し得るようになされている。
【００５０】
（１−４）本実施の形態の動作及び効果
以上の構成において、このオーディオシステム１では、所定のユーザ操作後、その機能が開始又は終了するまでの間は動作モードをユーザ動作モードに遷移させ、当該ユーザ動作モード時にエラーが発生した場合には第１のエラー報知方法によりエラー報知処理を実行する一方、再生モード時にエラーが発生した場合には第１のエラー報知方法と異なる第２のエラー報知方法によりエラー報知処理を実行する。
【００５１】
従って、このオーディオシステム１では、ユーザがエラーの発生に気が付き易いユーザ操作直後にはユーザに操作を促すエラー報知が行われ、比較的ユーザがエラーの発生に気が付き難い再生動作時にはユーザの操作を促さないエラー報知が行われるといった、そのときの状況に最適なエラー報知を行うことができる。
【００５２】
以上の構成によれば、所定のユーザ操作後、その機能が開始又は終了するまでの間は動作モードをユーザ動作モードに遷移し、当該ユーザ動作モード時にエラーが発生した場合には第１のエラー報知方法によりエラー報知処理を実行する一方、再生モード時にエラーが発生した場合にはこれと異なる第２のエラー報知方法によりエラー報知処理を実行するようにしたことにより、そのときの状況に最適なエラー報知を行うことができる。かくするにつき高い機能性を得ることができ、かくして商品力の高いオーディオシステムを実現できる。
【００５３】
（２）第２の実施の形態
（２−１）第２の実施の形態によるオーディオシステム２０の構成
図１との対応部分に同一符号を付して示す図６は、第２の実施の形態による車載用のオーディオシステム２０を示し、自動車の移動を検出する移動検出センサ２１が設けられている点と、システム制御部２２が当該移動検出センサ２１の検出結果に基づいて動作モードを切り換えるようになされた点とを除いて第１の実施の形態によるオーディオシステム１（図１）と同様に構成されている。
【００５４】
実際上このオーディオシステム２０においては、自動車の速度センサ（図示せず）から出力される速度パルスを受信するための図示しないコネクタが設けられており、当該コネクタを介して入力される速度パルスＰＬを移動検出センサ２１に入力する。
【００５５】
移動検出センサ２１は、かかる速度パルスＰＬに基づいて、自動車の速度が「０」である場合には当該自動車は移動中でないと検出する一方、自動車の速度が「０」でない場合には当該自動車は移動中であると検出し、検出結果を移動検出信号Ｓ１０として移動システム制御部２２に送出する。
【００５６】
システム制御部２２は、第１の実施の形態のシステム制御部７（図１）と同様にＣＰＵ、ＲＯＭ及びＲＡＭを有するマイクロコンピュータ構成でなり、ユーザ動作モード時にＣＤプレーヤ部２から与えられる状態通知信号Ｓ４に基づきエラーが発生したことを認識した場合であって、移動検出センサ２１から与えられる移動検出信号Ｓ１０に基づきユーザが運転中でない（すなわち自動車が移動中でない）ことを認識すると、第１のエラー報知方法によりエラー報知を行う。
【００５７】
これに対してシステム制御部は、ユーザ動作モード時にＣＤプレーヤ部から与えられる状態通知信号に基づきエラーが発生したことを認識した場合であって、移動検出センサ２１から与えられる移動検出信号Ｓ１０に基づきユーザが運転中であることを認識すると、動作モードを再生モード又は停止モードに遷移させて第２のエラー報知方法によりエラー報知を行う。
【００５８】
このようにしてこのオーディオシステム２０においては、ＣＤプレーヤ部２にエラーが生じた場合に、そのときユーザが運転中か否かに応じて異なるエラー報知方法によりエラー報知を行い得るようになされている。
【００５９】
（２−２）第２のエラー処理手順ＲＴ２
ここでシステム制御部２２は、上述のようなエラー報知処理を、図５との対応部分に同一符号を付した図７に示す第２のエラー報知処理手順ＲＴ２に従って実行する。
【００６０】
この場合この第２のエラー報知処理手順ＲＴ２は、第１のエラー報知処理手順ＲＴ１のステップＳＰ７に代えてステップＳＰ１０〜ステップＳＰ１２が設けられている点を除いて第１のエラー報知処理手順ＲＴ１と同様の内容を有するものである。
【００６１】
そしてシステム制御部２２は、ステップＳＰ６において、ＣＤプレーヤ部２からの状態通知信号Ｓ４に基づきエラーが発生したことを認識すると、ステップＳＰ１０に進んで移動検出センサ２１からの移動検出信号Ｓ１０に基づきユーザが運転中であるか否か（すなわち当該オーディオシステム２０が搭載された自動車が移動しているか否か）を判断する。
【００６２】
そしてシステム制御部２２は、このステップＳＰ１０において否定結果を得ると、ステップＳＰ１１に進んで、ステップＳＰ６において認識したエラーに対するエラー報知方法として対応する第１のエラー報知方法を選択すると共に当該第１のエラー報知方法によるエラー報知処理を行い、このエラー報知処理を終了すると、ステップＳＰ８に進んで動作モードを対応する再生モード又は停止モードに遷移させた後、ステップＳＰ１に戻る。
【００６３】
これに対してシステム制御部２２は、ステップＳＰ１０において肯定結果を得ると、ステップＳＰ１２に進んで、動作モードを対応する再生モード又は停止モードに遷移させた後ステップＳＰ９に進む。そしてシステム制御部２２は、この後このステップＳＰ９においてそのエラーに対するエラー報知方法として対応する第２のエラー報知方法を選択すると共に当該第２のエラー報知方法に応じた処理を実行する。
【００６４】
このようにしてシステム制御部２２は、ＣＤプレーヤ部２にエラーが生じた場合に、そのときユーザが運転中か否かに応じて対応する第１又は第２のエラー報知方法を選択し、当該第１又は第２のエラー報知方法によるエラー報知処理を実行する。
【００６５】
（２−３）本実施の形態の動作及び効果
以上の構成において、このオーディオシステム２０では、ユーザ動作モード時にエラーが発生した場合において、ユーザが運転中（自動車が移動中）のときには第１のエラー報知方法によってエラー報知処理を実行する一方、ユーザが運転中でない（自動車が移動中でない）ときには第２のエラー報知方法によりエラー報知処理を実行する。
【００６６】
従って、このオーディオシステム２０では、同じユーザ動作モード時におけるエラーであっても、ユーザがエラーに対して操作し易い停車中にはユーザに操作を促すエラー報知が行われ、ユーザがエラーに対して操作し難い運転中にはユーザに操作を促さないエラー報知が行われるといった、そのときの状況に最適なエラー報知を行うことができるため、機能性に加えて安全性をも格段的に向上させることができる。
【００６７】
以上の構成によれば、ユーザ動作モード時にエラーが発生した場合において、ユーザが運転中（自動車が移動中）のときには第１のエラー報知方法によってエラー処理を実行する一方、ユーザが運転中でない（自動車が移動中でない）ときには第１のエラー報知方法と異なる第２のエラー報知方法によりエラー報知を行うようにしたことにより、操作性や機能性に加えて安全性をも格段的に向上させることができ、かくして商品力を格段的に向上させ得るオーディオシステムを実現できる。
【００６８】
（３）他の実施の形態
なお上述の第１及び第２の実施の形態においては、本発明を車載用のオーディオシステム１、２０に適用するようにした場合について述べたが、本発明はこれに限らず、車載用以外のこの他種々のオーディオ機器や、オーディオ以外の例えばＬＤ（Laser Disc）やＶＤ（Digital Video Disc）プレーヤ等の映像機器、ディスク以外の例えばカセットテーププレーヤ等のテープ状記録媒体に対応した映像及び又は音声機器等の再生装置にも広く適用することができる。
【００６９】
また上述の第１及び第２の実施の形態においては、エラーが発生した場合のエラー報知の方法として、表示部６に『フォーマットエラー』等のエラーメッセージを表示すると共に、必要に応じて直ちにＣＤプレーヤ部２の動作を停止させたり、又はＣＤを排出位置に移動させた後に動作を停止させるようにした場合について述べたが、本発明はこれに限らず、エラー報知方法としては、音や光等などでエラー発生の事実及びその内容を報知するなど、この他種々のエラー報知の方法を広く適用することができる。
【００７０】
さらに上述の第１及び第２の実施の形態においては、図４について、例えば『ＣＤの再生が開始できない』場合や『再生中のＣＤがフォーマット違反』の場合に、表示部６にエラーメッセージを表示するようにしてエラーを報知し、その後直ちにそのＣＤを飛ばして次のＣＤを再生するようにした場合について述べたが、本発明はこれに限らず、かかる場合に例えばそのエラーの内容をエラー履歴として記憶しておき、当該エラーの内容を後でユーザが確認できるようにしても良い。
【００７１】
さらに上述の第１及び第２の実施の形態においては、システム制御部７、２２が必要時に自動的に動作モードをユーザ動作モードに遷移させるようにした場合について述べたが、本発明はこれに限らず、例えば操作部５に切換えスイッチを設け、当該切換えスイッチを操作することにより、ユーザが所望するときにオーディオシステム１（システム制御部７、２２）の動作モードをユーザ動作モードに切り換えることができるようにしても良い。
【００７２】
さらに上述の第１及び第２の実施の形態においては、再生モードとユーザ動作モードとの２つの動作モードを設け、これら動作モードごとにそれぞれ異なるエラー報知方法でエラーをユーザに報知するようにした場合について述べたが、本発明はこれに限らず、状況に応じて遷移する動作モードを３以上設け、これら動作モードごとにそれぞれ異なるエラー報知方法によりエラー報知を行うようにしても良い。
【００７３】
さらに上述の第１及び第２の実施の形態においては、本発明を据え置き型である車載用のオーディオシステム１、２０に適用するようにした場合について述べたが、本発明はこれに限らず、例えば可搬型の再生装置にも広く適用することができる。
【００７４】
この場合において、かかる再生装置が例えばパーソナルコンピュータや車載用のオーディオシステム等の外部機器に接続可能である場合には、外部機器に接続されたという状況を何らかの状況検出手段により自動検出し、外部機器に接続されていない状況と、いずれかの外部機器に接続された状況とで動作モードを切り換え、エラーが発生したときにはその動作モードに対応するエラー報知方法によりエラー報知を行うようにしても良い。またこのとき接続された外部機器の種類に応じてさらに動作モードを切り換え、エラーが発生したときにはその動作モードに対応するエラー報知方法によりエラー報知を行うようにしても良い。
【００７５】
さらに上述の第１及び第２の実施の形態においては、状況に応じて動作モードを変化させ、動作モードごとに当該動作モードに応じたエラー報知を行うエラー報知手段を、オーディオシステム１、２０全体の動作制御を司るシステム制御部７、表示部６及びスピーカ４により構成するようにした場合について述べたが、本発明はこれに限らず、例えばシステム制御部７とは別にかかる機能を有するＣＰＵを設けるようにしても良い。このようにすることによって、システム制御部７の負荷を低減させることができる。
【００７６】
さらに上述の第２の実施の形態においては、そのときの状況を検出する状況検出手段として移動検出センサ２１を設けるようにした場合について述べたが、本発明はこれに限らず、要は、検出したい状況に応じて種々の状況検出手段を広く適用することができる。例えば部屋の明るさに応じてエラー報知の内容を切り換えるように再生装置を構築する場合には、状況検出手段として光センサが適用できる。
【００７７】
さらに上述の第１及び第２の実施の形態においては、例えば第１のエラー報知方法ではＣＤを排出位置に移動させるのに対し、第２のエラー報知方法では次のＣＤを再生するなど、動作モードごとのエラー報知の内容が本質的に異なるように設定した場合について述べたが、本発明はこれに限らず、例えば警告音の出力頻度を異ならせるなど、同じ内容のエラー報知の頻度を動作モードごとに変えたり、または警告音の出力音声レベルを異ならせるなど、同じ内容のエラー報知のレベルを動作モードごとに変えさせるようにしても良い。
【産業上の利用可能性】
【００７８】
本発明は、車載用のオーディオシステムの他、車載用以外のオーディオ機器や、オーディオ以外の例えばＤＶＤプレーヤ等の映像機器、ディスク以外の例えばカセットテーププレーヤ等のテープ状記録媒体に対応した映像及び又は音声機器にも適用することができる。
【図面の簡単な説明】
【００７９】
【図１】第１の実施の形態によるオーディオシステムの全体構成を示すブロック図である。
【図２】図１のオーディオシステムにおける動作モードの遷移状態の説明に供するブロック図である。
【図３】ユーザ操作と動作モード遷移の説明に供する図表である。
【図４】エラーに対する第１及び第２のエラー処理方法の各内容の具体例を示す図表である。
【図５】第１のエラー処理手順を示すフローチャートである。
【図６】第２の実施の形態によるオーディオシステムの構成を示すブロック図である。
【図７】第２のエラー処理手順を示すフローチャートである。
【符号の説明】
【００８０】
１、２０……オーディオシステム、２……ＣＤプレーヤ部、３……本体部、４……スピーカ、５……操作部、６……表示部、７、２２……システム制御部、２１……移動検出センサ、ＣＯＭ１……制御コマンド、Ｓ１……操作通知信号、Ｓ４……状態通知信号、ＲＴ１、ＲＴ２……エラー処理手順。
【図１】
2005149549.tif 000003
【図２】
2005149549.tif 000004
【図３】
2005149549.tif 000005
【図４】
2005149549.tif 000006
【図５】
2005149549.tif 000007
【図６】
2005149549.tif 000008
【図７】
2005149549.tif 000009